(57)【要約】【課題】画像が形成された用紙に筋付け処理を施しても文字や画像の表示に筋の影響を生じさせない状態を保つ。【解決手段】画像形成された用紙に対して筋付け処理を行う後処理装置が接続されうる画像形成装置、また、この画像形成装置における画像形成方法であって、後処理として筋付け処理が指定された画像形成で、前記筋付け処理により前記用紙に形成される曲面領域において、前記筋の長手方向に直交する方向に画像を伸長するよう画像処理する、ことを特徴とする。【選択図】図１
2013121669.tif 000002
【特許請求の範囲】
【請求項１】
画像形成された用紙に対して筋付け処理を行う後処理装置が接続されうる画像形成装置における画像形成方法であって、
後処理として筋付け処理が指定された画像形成で、前記筋付け処理により前記用紙に形成される曲面領域において、前記筋の長手方向に直交する方向に画像を伸長するよう画像処理する、
ことを特徴とする画像形成方法。
【請求項２】
前記曲面領域を平面に投影した投影領域に含まれる画像を、前記曲面領域に伸長するよう画像処理する、
ことを特徴とする請求項１に記載の画像形成方法。
【請求項３】
前記画像処理では、前記筋付け処理の筋の太さと本数と、該筋が付される用紙に関する用紙条件を参照して前記伸長の量を決定する、
ことを特徴とする請求項１−２のいずれか一項に記載の画像形成方法。
【請求項４】
前記用紙条件として、紙種、斤量、用紙使用状態の少なくとも一つを含む、
ことを特徴とする請求項３に記載の画像形成方法。
【請求項５】
前記画像において前記筋に平行する一端を基準として前記伸長を行う、
ことを特徴とする請求項１−４のいずれか一項に記載の画像形成方法。
【請求項６】
前記用紙において複数の筋付け処理が指定された場合には、基準となる何れか１本の筋を基準筋として決定し、該基準筋を基準として前記伸長を行う、
ことを特徴とする請求項１−４のいずれか一項に記載の画像形成方法。
【請求項７】
前記伸長により前記画像中の画像形成不可になる一方若しくは両方の端部領域を決定して、残余の画像形成可能な領域の画像について前記伸長を行う、
ことを特徴とする請求項１−４のいずれか一項に記載の画像形成方法。
【請求項８】
画像形成された用紙に対して筋付け処理を行う後処理装置が接続されうる画像形成装置であって、
前記画像形成を制御する制御部と、
画像処理を行う画像処理部と、を備え、
前記制御部は、後処理として筋付け処理が指定された画像形成で、前記筋付け処理により前記用紙に形成される曲面領域において、前記筋の長手方向に直交する方向に画像を伸長する画像処理を行うように前記画像処理部を制御する、
ことを特徴とする画像形成装置。
【請求項９】
前記制御部は、前記曲面領域を平面に投影した投影領域の画像を、前記曲面領域に伸長するよう前記画像処理部の画像処理を制御する、
ことを特徴とする請求項７に記載の画像形成装置。
【請求項１０】
前記制御部は、前記筋付け処理の筋の太さと本数と、該筋が付される用紙に関する用紙条件を参照して、前記画像処理における前記伸長の量を決定する、
ことを特徴とする請求項８−９のいずれか一項に記載の画像形成装置。
【請求項１１】
前記制御部は、前記用紙条件として、紙種、斤量、用紙使用状態の少なくとも一つを参照する、
ことを特徴とする請求項１０に記載の画像形成装置。
【請求項１２】
前記制御部は、前記画像において前記筋に平行する一端を基準として前記伸長を行うよう前記画像処理部を制御する、
ことを特徴とする請求項８−１１のいずれか一項に記載の画像形成装置。
【請求項１３】
前記制御部は、前記用紙において複数の筋付け処理が指定された場合に、基準となる何れか１本の筋を基準筋として決定し、該基準筋を基準として前記伸長を行うよう前記画像処理部を制御する、
ことを特徴とする請求項８−１１のいずれか一項に記載の画像形成装置。
【請求項１４】
前記制御部は、前記伸長により前記画像中の画像形成不可になる一方若しくは両方の端部領域を決定して、残余の画像形成可能な領域の画像について前記伸長を行うよう前記画像処理部を制御する、
ことを特徴とする請求項８−１１のいずれか一項に記載の画像形成装置。
【発明の詳細な説明】
【技術分野】
【０００１】
本発明は、後処理における筋付けに対応した画像形成方法及び画像形成装置の制御に関する。
【背景技術】
【０００２】
画像形成装置において各種の後処理装置を接続することで、さまざまな製本処理が可能になり、印刷装置として使用することができる。
【０００３】
たとえば、用紙の中央で用紙を中折りにした用紙束として、その束の折り目部分にステープル処理をして中綴じ製本が可能である。また、中綴じした用紙束の背の部分にローラ等で圧力を掛け、角の折り目をつけて背表紙部分を作り、無線綴じに似た状態にする角背処理が可能である。
【０００４】
また、このような折り目をつける前処理として、折り目をつける予定の位置に、クリーサー（creaser）と呼ばれる筋付け装置を用いて筋付け処理を施して筋を付けることが行われる。そして、筋付け処理の後に折り処理を実行することで、複数枚の用紙を纏めた状態で折り処理を行っても、折り目が膨らむことを防止できる利点がある。
【０００５】
なお、このような筋付け処理については、以下の特許文献に提案されている。
【先行技術文献】
【特許文献】
【０００６】
【特許文献１】特開２０００−３０１８５１号公報
【発明の概要】
【発明が解決しようとする課題】
【０００７】
筋付け処理をした場合、断面が半円形状の曲面で構成された筋（図８（ｂ）のｂ１）が用紙に形成される。この結果、筋の長手方向と直交する方向に、元の平面状の用紙（図８（ａ））と比較して、筋による曲面の影響で、用紙が僅かながら縮んだように見える状態になる（図８（ｂ））。
【０００８】
これにより、印刷後の用紙（図８（ａ））に筋付け処理をすると、筋の曲面の部分で画像が歪んだ状態に見えることになる（図８（ｂ））。この結果、文字や図形が見づらくなり、誤認識しやすくなる、という不具合が生じる可能性がある。
【０００９】
なお、上記の特許文献１では、筋付け処理をした場合における用紙上の画像については、何ら対策がとられていなかった。
【００１０】
本発明はこのような課題に鑑みてなされたものであって、画像が形成された用紙に筋付け処理を施しても文字や画像の表示に筋の影響を生じさせない状態を保つことが可能な画像形成方法及び画像形成装置を提供することを目的とする。
【課題を解決するための手段】
【００１１】
すなわち、前記した課題を解決する本発明は、以下の通りである。
【００１２】
（１）第１の発明は、画像形成された用紙に対して筋付け処理を行う後処理装置が接続されうる画像形成装置、また、この画像形成装置における画像形成方法であって、後処理として筋付け処理が指定された画像形成で、前記筋付け処理により前記用紙に形成される曲面領域において、前記筋の長手方向に直交する方向に画像を伸長するよう画像処理する、ことを特徴とする。
【００１３】
（２）第２の発明は、上記（１）において、前記曲面領域を平面に投影した投影領域に含まれる画像を、前記曲面領域に伸長するよう画像処理する、ことを特徴とする。
【００１４】
（３）第３の発明は、上記（１）−（２）において、前記画像処理では、前記筋付け処理の筋の太さと本数と、該筋が付される用紙に関する用紙条件を参照して前記伸長の量を決定する、ことを特徴とする。
【００１５】
（４）第４の発明は、上記（１）−（３）において、前記用紙条件として、紙種、斤量、用紙使用状態の少なくとも一つを含む、ことを特徴とする。
【００１６】
（５）第５の発明は、上記（１）−（４）において、前記画像において前記筋に平行する一端を基準として前記伸長を行う、ことを特徴とする。
【００１７】
（６）第６の発明は、上記（１）−（４）において、前記用紙において複数の筋付け処理が指定された場合には、基準となる何れか１本の筋を基準筋として決定し、該基準筋を基準として前記伸長を行う、ことを特徴とする。
【００１８】
（７）第７の発明は、上記（１）−（４）において、前記伸長により前記画像中の画像形成不可になる一方若しくは両方の端部領域を決定して、残余の画像形成可能な領域の画像について前記伸長を行う、ことを特徴とする。
【発明の効果】
【００１９】
本発明によると、以下のような効果が得られる。
【００２０】
この発明では、画像形成された用紙に対して筋付け処理を行う後処理装置が接続されうる画像形成装置における画像形成で、後処理として筋付け処理が指定された画像形成では、筋付け処理により用紙に形成される曲面領域において、筋の長手方向に直交する方向に画像を伸長するよう画像処理する。
【００２１】
これにより、画像が形成された用紙に筋付け処理を施しても文字や画像の表示に筋の影響を生じさせない状態を保つことが可能になる。
【００２２】
また、曲面領域を平面に投影した投影領域の画像を、曲面領域に伸長するよう前記画像処理部の画像処理を制御する。この曲面領域における伸長により、筋付け処理により曲面が形成された用紙を用いて、筋付け処理なしで平面のみの用紙による表示と同様に画像表示することが可能になる。
【００２３】
また、画像処理では、筋付け処理の筋の太さと本数と、該筋が付される用紙に関する用紙条件を参照して伸長の量を決定することで、筋付け処理なしで平面のみの用紙による表示と同様に画像表示することが可能になる。ここで、用紙条件として、紙種、斤量、用紙使用状態の少なくとも一つを含むことで、筋付け処理なしで平面のみの用紙による表示と同様に画像表示することが可能になる。
【００２４】
また、画像において筋に平行する一端を基準として伸長を行うことで、確実な処理が可能になる。
【００２５】
また、用紙において複数の筋付け処理が指定された場合には、基準となる何れか１本の筋を基準筋として決定し、該基準筋を基準として伸長を行うことで、確実な処理が可能になる。
【００２６】
また、伸長により画像中の画像形成不可になる一方若しくは両方の端部領域を決定して、残余の画像形成可能な領域の画像について伸長を行うことで、所望の画像を形成することが可能になり、確実な処理が可能になる。
【図面の簡単な説明】
【００２７】
【図１】本発明の実施形態の後処理装置の構成を示すブロック図である。
【図２】本発明の実施形態の後処理装置の構成を示す構成図である。
【図３】本発明の実施形態の後処理装置の主要部の構成を示す構成図である。
【図４】本発明の実施形態の後処理装置の主要部の構成を示す構成図である。
【図５】本発明の実施形態の後処理装置の主要部の構成を示す構成図である。
【図６】本発明の実施形態の後処理装置の主要部の構成を示す構成図である。
【図７】本発明の実施形態の後処理装置の主要部の構成を示す構成図である。
【図８】本発明の実施形態の後処理装置の動作を示す説明図である。
【図９】本発明の実施形態における用紙の筋の様子を示す説明図である。
【図１０】本発明の実施形態の後処理装置の動作を示すフローチャートである。
【図１１】本発明の実施形態の後処理装置の動作を示す説明図である。
【図１２】本発明の実施形態の後処理装置の動作を示す説明図である。
【図１３】本発明の実施形態の後処理装置の動作を示す説明図である。
【図１４】本発明の実施形態の後処理装置の動作を示す説明図である。
【図１５】本発明の実施形態の後処理装置の動作を示す説明図である。
【図１６】本発明の実施形態の後処理装置の動作を示すフローチャートである。
【図１７】本発明の実施形態の後処理装置の動作を示す説明図である。
【図１８】本発明の実施形態の後処理装置の動作を示すフローチャートである。
【発明を実施するための形態】
【００２８】
以下、図面を参照して本発明を実施するための形態（以下、実施形態）を詳細に説明する。
【００２９】
〔画像形成システムの構成〕
図１と図２とを参照して、本実施の形態に係る後処理装置を備える画像形成システムの構成について説明する。図１と図２とに示すように、この画像形成システムは、画像形成装置１００と、後処理装置３００と、後処理装置４００と、を有している。なお、画像形成装置１００と後処理装置３００との間に別な装置が存在していても良いし、後処理装置４００は存在していなくとも良い。また、更に後段に別の後処理装置が連結されていても良い。
【００３０】
画像形成装置１００は、画像形成装置１００内の各部を制御すると共に後処理装置としてシステム全体を制御する制御部１０１と、接続されている他の装置と通信するための通信部１０２と、操作者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙され画像形成される用紙を所定速度で搬送する搬送部１０７と、原稿をスキャンして画像データを生成する原稿読込部１２０と、画像形成する際のイメージデータや各種データを記憶する画像データ記憶部１３０と、画像形成に必要な各種画像処理を実行する画像処理部１４０と、画像形成命令と画像処理後のイメージデータとに基づいて画像形成（印刷）を実行する画像形成部１５０と、を備えて構成されている。なお、画像形成装置１００で画像形成された用紙は、後段の後処理装置３００に向けて搬出される。
【００３１】
後処理装置３００は、画像形成装置１００の後段に接続されており、後処理装置３００内の各部を制御する制御部３０１と、画像形成装置１００と通信するための通信部３０２と、制御プログラム及び各種設定データを記憶すると共に制御プログラムのワークエリアとして使用される記憶部３０４と、後処理された用紙束を排出させる排出経路を選択する排出経路選択部３０５と、用紙を所定速度で搬送する搬送部３０７と、用紙全体として折ることなく筋を付ける筋付け部３１０と、筋付け処理後の用紙を次の後処理のために整合により位置制御する位置制御部としての整合部３２０と、用紙を中折り又は３つ折りに折る折り部３３０と、後処理のために用紙を重ね合わせて用紙束とする重ね合わせ部３４０と、折り部３３０で折られた用紙に後処理として中綴じを施す中綴じ部３５０と、中綴じ用の折り目が形成された用紙束の背折り部を平坦にする角背処理を施す角背処理部３６０と、中綴じされた用紙束の小口部分を断裁する断裁部３７０と、を備えて構成される。
【００３２】
後処理装置４００は、後処理装置３００の後段に接続されており、後処理装置４００内の各部を制御する制御部４０１と、画像形成装置１００や後処理装置３００と通信するための通信部４０２と、制御プログラム及び各種設定データを記憶すると共に制御プログラムのワークエリアとして使用される記憶部４０４と、後処理された用紙束を排出させる排出経路を選択する排出経路選択部４０５と、用紙を所定速度で搬送する搬送部４１０と、用紙束を平綴じ処理を施す平綴じ部４２０と、メイントレイを排出先として用紙を排出するメイントレイ排出部４４０と、サブトレイを排出先として用紙を排出するサブトレイ排出部４５０と、を備えて構成される。
【００３３】
なお、図２の斜視図では、画像形成システムの主要部の構成を模式的に透過斜視図として示している。画像形成装置１００内の画像形成部１５０で画像形成されてから、図２のＸ方向に搬送されてきた用紙を、後処理装置４００で後処理する場合には、後処理装置３００でもそのままＸ方向に搬送する。
【００３４】
一方、後処理装置３００において後処理を実行する場合は、図２のように、筋付け部３１０でＹ方向の筋を付けた後に、折り部３３０においてＹ方向を稜線として中折りし、Ｙ方向に搬送しつつ、重ね合わせ部３４０と中綴じ部３５０とで重ね合わせてから折りと中綴じを実行し、さらに、Ｙ方向に搬送して角背処理部３６０でにより背表紙の部分を平坦にする角背処理を施すことで、後処理の実行効率が高まり、画像形成システムとして生産性を高めることが可能になる。
【００３５】
また、図１と図２における、画像形成装置１００、後処理装置３００、後処理装置４００の接続は画像形成システムの具体的な一例であって、このような接続や搬送方向に限定されるものではない。
【００３６】
〔基本動作〕
図３と図４は、筋付け処理を行うクリーサーと呼ばれる筋付け部３１０の基本構成を、ＸＺ平面にて示す断面構成図である。ここで、画像形成装置１００から筋付け部３１０に搬送されてくる用紙は、筋付け部３１０で筋付け処理を実行する場合には、反転搬送路３０７Ｒに引き込まれ、搬送ローラ３０７Ｒ１１，３０７Ｒ１２，３０７Ｒ２１，３０７Ｒ２２による挟持搬送制御、あるいは、先端ストッパ３２５１による位置規制により、用紙が所定位置で停止する（図３）。
【００３７】
この後、筋付けナイフ駆動部３１１により駆動され、Ｙ方向に伸びた筋付けナイフ３１２が、同様にＹ方向に伸びた凹部を有する筋付け台３１３に向かって、−Ｘ方向に伸長することで、筋付けナイフ３１２の先端と筋付け台３１３の凹部との間に用紙が挟持される。この動作により、Ｙ方向を長手方向とする筋が形成される（図４）。なお、この筋付け処理では、用紙全体としては平面状態を保っているため、折り処理による折り目とは異なり、平面上の用紙に、断面形状が半円形の筋が形成される。
【００３８】
また、この筋付け処理の際に、搬送ローラ３０７Ｒ１１，３０７Ｒ１２，３０７Ｒ２１，３０７Ｒ２２による挟持搬送制御、あるいは、先端ストッパ３２５１の停止位置制御、または、挟持搬送制御と停止位置制御の両方により、用紙上の所望の位置に１本若しくは複数本の筋を付すことができる。また、このようにして筋が付された用紙は、搬送ローラ３０７Ｒ１１，３０７Ｒ１２，３０７Ｒ２１，３０７Ｒ２２によって、反転搬送路３０７Ｒを戻って折り部３３０に向かって搬送される。
【００３９】
図５−図７は後処理装置３００における折り部３３０の基本構成をＸＺ平面にて示す断面構成図である。ここで、図５のように、筋付け部３１０から折り部３３０に搬送されてくる用紙は、搬送ローラ３３１１，３３１２、搬送ローラ３３２１，３３２２によって折り部３３０内を所定速度で搬送される。
【００４０】
そして、折り部３３０で折りを実行する場合には、図６（１）のように、整合制御部３２１２により駆動される位置制御部材としての整合部材３２１１を整合待機位置まで駆動し、この整合部材３２１１により用紙先端が所定位置に規制された状態で停止する。その後、整合制御部３２２２により駆動される位置制御部材としての整合部材３２２１を、図６（２）のように整合位置まで移動させて、この整合部材３２２１により用紙後端が所定位置に整合された状態で停止する。
【００４１】
なお、この図６の場合には、筋付け部３１０で筋付け処理された位置を中心にして中折りする場合を想定しており、整合部材３２１１で所定の整合量ｘ１、整合部材３２２１で所定の整合量ｘ２の整合を行うことで、筋と折り位置とが合致した状態になる。
【００４２】
この後、図７に示すように、折りナイフ駆動部３３５１により駆動される折りナイフ３３５０が折りローラ３３４１，３３４２間で伸長することで、折りローラ３３４１，３３４２間に用紙が挟持されて、折り目が形成される。
【００４３】
なお、この際、折りローラ３３４１，３３４２は回動自在な状態にされている。そして、折りナイフ３３５０がタイマで設定された一定時間だけ上昇した後に停止し、駆動ローラ３３４３によって折りローラ３３４２が用紙と折りナイフ３３５０とを戻す方向に駆動される。なお、この折り部３３０により、中綴じ用に用紙の中央に折り目を付ける中折りのほか、用紙の２カ所に折り目を付ける三つ折りも実行可能である。
【００４４】
〔前提となる問題〕
筋付け処理をした場合、図４に示したように、断面が半円形状の曲面で構成された筋が用紙に形成される。この結果、筋の長手方向と直交する方向に、元の平面状の用紙（図８（ａ））と比較して、筋による曲面の影響で、筋の長手方向と直交する方向に、用紙が僅かながら縮んだように見える状態になる（図８（ｂ））。
【００４５】
たとえば、普通紙の場合には、図９のように、筋の長手方向と直交する方向である幅が１．０mmであるとする。この場合、この幅１．０mmの部分には、半円形の断面の曲面部分の半径ｒ＝０．５mmであるため、πｒ＝１．５７mmの用紙が曲面を構成していることになる。この場合、圧縮率Ｃ＝１．００／１．５７＝６４％となる。
【００４６】
これにより、印刷後の用紙（図８（ａ））に筋付け処理をすると、元のａ１の破線の領域がｂ１に圧縮されたかのようになり、筋の曲面の部分で画像が歪んだ状態に見えることになる（図８（ｂ））。
【００４７】
なお、ここでは、筋を１本のみ示しているが、複数本の筋が存在する場合にも同様の減少が発生する。
【００４８】
〔実施形態の動作〕
以下、図１０以降のフローチャートや各種説明図を参照して、本実施形態の動作についての説明を行う。ここでは、図１と図２の接続状態の画像形成システムにおいて、画像形成装置１００で画像形成を行い、後処理装置３００で筋付け処理を実行する場合を中心にして説明する。
【００４９】
制御部１０１は画像形成の処理を開始するに際して、その画像形成に対する筋付け処理の設定の有無を確認する（図１０中のステップＳ１０１）。
【００５０】
筋付け処理の設定が無い場合には（図１０中のステップＳ１０１でＮＯ）、制御部１０１は画像形成を実行する（図１０中のステップＳ１０８）。すなわち、画像データに対して画像処理部１４０で必要な画像処理を施し、画像処理された画像データを用いて画像形成部１５０で用紙上に画像を形成するよう、制御部１０１が制御する。
【００５１】
筋付け処理の設定がある場合には（図１０中のステップＳ１０１でＹＥＳ）、制御部１０１は、筋の本数、筋の太さ、用紙条件（紙種、斤量、用紙使用状態の少なくとも一つ）、伸長基準位置（筋に平行する一端、基準筋（複数の筋付け処理が指定される場合の基準となる何れか１本の筋））を参照して、伸長処理により画像中の画像形成不可になる一方若しくは両方の端部領域と画像形成可能領域とを算出する。
【００５２】
そして、制御部１０１は、用紙中の筋の位置、伸長基準位置、画像形成不可領域を、図１１のようなガイダンス画面として、操作表示部１０３に表示する（図１０中のステップＳ１０２）。なお、このガイダンス画面は、画像形成のモードに応じた初期設定に基づいたものであり、後述するようにオペレータが設定を変更することが可能である。
【００５３】
ここで、画像が形成された用紙に筋付け処理を施しても文字や画像の表示に筋の影響を生じさせない状態を保てる原理、伸長基準位置、画像形成不可領域、について図１２を参照して説明する。
【００５４】
図１２（ａ）は、画像形成装置１００において用紙に画像が形成された様子を示している。図１２（ｂ）（ｃ）は、画像形成装置１００で画像が形成された用紙に後処理装置３００で筋付け処理した様子を示している。この場合、用紙中央付近に１本の筋を設けている。
【００５５】
このように断面が半円形状の曲面で構成された筋を設ける筋付け処理をした場合、筋の長手方向と直交する方向に、元の平面状の用紙（図１２（ａ））と比較して、筋による曲面の影響で、用紙が僅かながら縮んだように見える状態になる（図１２（ｃ））。そして、筋の曲面の部分で画像が歪んだ状態に見えることになる（図１２（ｃ））。
【００５６】
そこで、筋による曲面領域（図１２（ｃ）ｃ１）を平面に投影した投影領域（図１２（ｄ）ｄ１）に含まれる画像を、前記曲面領域に伸長するように画像処理部１４０で画像処理する（図１２（ｅ）ｅ１）。なお、この画像処理部１４０で伸長処理を行うために、画像の端部側で筋に平行する領域が画像形成不可領域となる（図１２（ｄ）ハッチング部分）。そして、図１２（ｅ）のように画像処理部１４０で伸長処理した状態の画像を、画像形成部１５０で形成する。このように伸長処理を伴う画像が形成された用紙を、後処理装置３００の筋付け部３１０で筋付け処理する。この場合には、予め伸長処理された画像に対して筋付け処理により曲面を形成しているので、図１２（ｇ）のように曲面部分でも歪みが発生しない状態を実現できる。
【００５７】
なお、この図１２は１本の筋であって、その筋の中央を基準として伸長処理した具体例を示している（図１２（ｄ）（ｅ））。このため、印刷不可領域は両端に発生している（図１２（ｄ）ハッチング部分）。この場合には、均等な画像の形成が可能になる。
【００５８】
また、図１３は１本の筋であって、その筋の左端部、あるいは、画像の左端部を伸長基準位置として定めた場合の具体例を示している。（図１３（ｄ）（ｅ））。このため、印刷不可領域は右端に発生している（図１３（ｄ）ハッチング部分）。なお、図１３において、それ以外の部分は図１２と同様な内容であるため、重複した説明を省略する。なお、画像において筋に平行する一端を基準として伸長を行うことで、簡易に確実な画像処理が可能になる。
【００５９】
図１４（ａ）は、画像形成装置１００から出力される用紙の様子を示している。図１４（ｂ）（ｃ）は、画像形成装置１００で画像が形成された用紙に後処理装置３００で筋付け処理した様子を示している。この場合、用紙中央付近に４本の筋を設けている。このように断面が半円形状の曲面で構成された筋を設ける筋付け処理をした場合、筋の長手方向と直交する方向に、元の平面状の用紙（図１４（ａ））と比較して、筋による曲面の影響で、筋本数分だけ用紙が縮んだように見える状態になる（図１４（ｃ））。そこで、筋による曲面領域（図１４（ｃ））を平面に投影した投影領域に含まれる画像（図１４（ｄ））を、前記曲面領域に伸長するように画像処理部１４０で画像処理する（図１４（ｅ））。また、図１４は４本の筋であって、その筋の左端部、あるいは、画像の左端部を伸長基準位置として定めた場合の具体例を示している。（図１４（ｄ）（ｅ））。このため、印刷不可領域は右端に発生している（図１４（ｄ）のハッチング部分）。
【００６０】
図１５（ａ）は、画像形成装置１００から出力される用紙の様子を示している。図１５（ｂ）（ｃ）は、画像形成装置１００で画像が形成された用紙に後処理装置３００で筋付け処理した様子を示している。この場合、用紙中央付近に４本の筋を設けている。このように断面が半円形状の曲面で構成された筋を設ける筋付け処理をした場合、筋の長手方向と直交する方向に、元の平面状の用紙（図１５（ａ））と比較して、筋による曲面の影響で、筋本数分だけ用紙が縮んだように見える状態になる（図１５（ｃ））。そこで、筋による曲面領域（図１５（ｃ））を平面に投影した投影領域に含まれる画像（図１５（ｄ））を、前記曲面領域に伸長するように画像処理部１４０で画像処理する（図１５（ｅ））。また、図１５は４本の筋であって、左から２番目の筋の中央を伸長基準位置として定めた場合の具体例を示している。（図１５（ｃ）（ｄ）（ｅ））。このため、印刷不可領域は、左端側に筋１．５本分、右端側に筋２．５本分、発生している（図１４（ｄ）のハッチング部分）。このようにすることで、オペレータの所望の画像を形成することが可能になる。
【００６１】
また、図１１のガイダンス画面において、印刷不可領域をオペレータが左端，右端，両端と単純に指定することで、制御部１０１が伸長基準位置を算出することも可能である。また、同様に、左右の印刷不可領域をオペレータがミリ単位で指定することで、制御部１０１が伸長基準位置を算出することも可能である。
【００６２】
そして、図１１のガイダンス画面により、オペレータが画像伸長処理をキャンセルすると選択した場合には（図１０中のステップＳ１０４、Ｓ１０５でＮＯ）、画像データに対して画像処理部１４０で伸長処理を除いて必要な画像処理を施し、画像処理された画像データを用いて画像形成部１５０で用紙上に画像を形成するよう、制御部１０１が制御する。この場合には、従来と同様に、筋の曲面の部分で画像が歪んだ状態に見えることになる。
【００６３】
また、図１１のガイダンス画面により、オペレータが画像伸長処理を承認した場合、あるいは、伸長基準位置を変更したり画像形成不可領域を直接することで画像伸長処理を承認した場合（図１０中のステップＳ１０５でＹＥＳ）、制御部１０１は、伸長倍率を決定する（図１０中のステップＳ１０６）。
【００６４】
なお、図９において、普通紙の場合には、圧縮率Ｃ＝１．００／１．５７＝６４％となることを説明したが、紙種や斤量により圧縮率Ｃは変化する。たとえば、薄紙の場合には圧縮率Ｃ＝５０％であり、厚紙の場合には圧縮率Ｃ＝８０％であった。また、紙種として、コシの強さ、弾力性によっても、圧縮率Ｃが変化する。
【００６５】
そこで、画像形成に使用する用紙の紙種を制御部１０１が確認し（図１６中のステップＳ２０１）、薄紙の場合には圧縮率Ｃ＝５０％（図１６中のステップＳ２０２）、普通紙の場合には圧縮率Ｃ＝６４％（図１６中のステップＳ２０３）、厚紙の場合には圧縮率Ｃ＝８０％（図１６中のステップＳ２０４）のように圧縮率Ｃを求める。そして、制御部１０１は、求めた圧縮率Ｃと筋本数等から、画像伸長処理の際の伸長倍率を決定する（図１６中のステップＳ２０５）。
【００６６】
そして、制御部１０１は算出した伸長倍率、伸長基準位置、画像形成不可領域を画像処理部１４０に通知し、画像処理部１４０で画像伸長処理を実行する（図１０中のステップＳ１０７）。
【００６７】
更に、制御部１０１は、画像データに対して画像処理部１４０で必要な画像処理を施し、画像処理された画像データを用いて画像形成部１５０で用紙上に画像を形成するよう制御する（図１０中のステップＳ１０８）。
【００６８】
このように、後処理として筋付け処理が指定された画像形成では、筋付け処理により用紙に形成される曲面領域において、筋の長手方向に直交する方向に画像を伸長するよう画像処理することにより、画像が形成された用紙に筋付け処理を施しても文字や画像の表示に筋の影響を生じさせない状態を保つことが可能になる。
【００６９】
なお、図１６では紙種により圧縮率Ｃを求めて伸長倍率を算出していたが、これに加え用紙使用状態を参考にすることも有効である。図１７は、冊子の表紙となる用紙に、後処理装置３００において、筋付け部３１０で４本の筋ａ１〜ａ４が形成され、更に筋ａ２とａ３には折り部３３０で折り処理が施された様子を模式的に示している。ここで、筋ａ１とａ２とは、筋の曲面が残った状態になっている。
【００７０】
一方、筋ａ２とａ３は折りが加えられたことで、曲面がそのまま折りの部分を構成しているため、単なる筋としての曲面（平面に対する曲面）は残っていない状態になる。この状態のａ２，ａ３の部分では、図８などで説明した画像の歪みは観察されにくい状態になっている。
【００７１】
そこで、画像形成に使用する用紙の紙種を制御部１０１が確認し（図１８中のステップＳ３０１）、薄紙の場合には圧縮率Ｃ＝５０％（図１８中のステップＳ３０２）、普通紙の場合には圧縮率Ｃ＝６４％（図１８中のステップＳ３０３）、厚紙の場合には圧縮率Ｃ＝８０％（図１８中のステップＳ３０４）のように圧縮率Ｃを求める。なお、この圧縮率Ｃは、紙種などに応じて予め定められた値が用意されていることが望ましいが、標準の用紙の圧縮率Ｃに対して係数を乗じて厚紙や薄紙の圧縮率Ｃを算出してもよい。
【００７２】
さらに、制御部１０１は、筋の位置に折りが指定されているかを判断し（図１８中のステップＳ３０５）、筋の位置に折りが無い場合には（図１８中のステップＳ３０５でＮＯ）、求めた圧縮率Ｃと筋本数等から、画像伸長処理の際の伸長倍率を決定する（図１８中のステップＳ３０５）。一方、制御部１０１は、筋の位置に折りがある場合には（図１８中のステップＳ３０５でＹＥＳ）、伸長処理無しと決定する（図１８中のステップＳ３０７）。
【００７３】
また、筋の位置に折りがあるか否かについては、三つ折りなどの場合に、折り目を広げた状態で画像を観察することが実際の用紙使用状態であれば、折りがある場合でも折り無し（図１８中のステップＳ３０５でＮＯ）として制御部１０１が判断する。すなわち、筋の曲面が用紙使用状態においてどのようになっているかに基づいて、伸長倍率を求めることが望ましい。
【００７４】
このように、用紙使用状態も考慮することで、画像が形成された用紙に筋付け処理を施しても文字や画像の表示に筋の影響を生じさせない状態を、実際の用紙の使用状態に合致した自然な状態で保つことが可能になる。
【符号の説明】
【００７５】
１００  画像形成装置
１０１  制御部
１０２  通信部
１０３  操作表示部
１０４  記憶部
１０５  給紙部
１０７  搬送部
１３０  画像データ記憶部
１４０  画像処理部
１５０  画像形成部
３００  後処理装置
３０１  制御部
３０２  通信部
３０４  記憶部
３０７  搬送部
３１０  筋付け部
３２０  整合部
３３０  折り部
３４０  重ね合わせ部
３５０  中綴じ部
３６０  角背処理部
３７０  断裁部
４００  後処理装置
４０１  制御部
４０２  通信部
４１０  搬送部
４２０  平綴じ部
４４０  メイントレイ排出部
４５０  サブトレイ排出部
【図１】
2013121669.tif 000003
【図２】
2013121669.tif 000004
【図３】
2013121669.tif 000005
【図４】
2013121669.tif 000006
【図５】
2013121669.tif 000007
【図６】
2013121669.tif 000008
【図７】
2013121669.tif 000009
【図８】
2013121669.tif 000010
【図９】
2013121669.tif 000011
【図１０】
2013121669.tif 000012
【図１１】
2013121669.tif 000013
【図１２】
2013121669.tif 000014
【図１３】
2013121669.tif 000015
【図１４】
2013121669.tif 000016
【図１５】
2013121669.tif 000017
【図１６】
2013121669.tif 000018
【図１７】
2013121669.tif 000019
【図１８】
2013121669.tif 000020